(57)【要約】【課題】両眼でどのように見えているかをシミュレートするための光学性能評価方法を提供し、併せてレンズの設計方法とレンズの光学性能評表示方法を提供する。【解決手段】左右一対のレンズ及び各レンズの背後にそれぞれ眼球モデルを配置したシミュレーションモデルを設定し、左右いずれかのレンズを設計対象レンズとし、他方をペアレンズとする。レンズの外方に設定された位置の明確な物点Ｚと左右の眼球モデルとの間に光線を照射させるシミュレーションを実行させて設計対象レンズ上及びペアレンズ上の座標の光学性能値を算出し、算出されたペアレンズの光学性能値を設計対象レンズの光学性能値を算出した座標に適用する。そして、設計対象レンズの光学性能値と設計対象レンズの光学性能値を算出した座標に適用されたペアレンズの光学性能値とを比較することで設計対象レンズの光学性能値を評価する。【選択図】図２
2015075342.tif 000002
【特許請求の範囲】
【請求項１】
左右一対のレンズ及び同各レンズの背後にそれぞれ配置された眼球モデルに対して光線を透過させて前記レンズの光学性能を評価するコンピュータシミュレーションによるレンズの光学性能評価方法であって、
左右一対の前記レンズの左右いずれかを設計対象レンズとし、いずれか他方を装用時にペアとなるレンズ（以下、ペアレンズ）として、前記各レンズの背後に前記眼球モデルを配置したシミュレーションモデルを設定する第１の工程と、
前記第１の工程におけるシミュレーションモデルについて、前記レンズの外方に設定された位置の明確な物点と左右の前記眼球モデルとの間に光線を照射させるシミュレーションを実行させて前記設計対象レンズ上及び前記ペアレンズ上の座標の光学性能値を算出する第２の工程と、
前記第２の工程で算出された前記ペアレンズの光学性能値を前記設計対象レンズの光学性能値を算出した座標に適用する第３の工程と、
前記第２の工程で算出された前記設計対象レンズの光学性能値と前記第３の工程で前記設計対象レンズの光学性能値を算出した座標に適用された前記ペアレンズの光学性能値とを比較することで前記設計対象レンズの光学性能値を評価する第４の工程を有することを特徴とするレンズの光学性能評価方法。
【請求項２】
前記物点は左右の前記眼球形状モデルの眼回旋中心から等距離となる位置（以下、基準位置）を基準として設定されることを特徴とする請求項１に記載のレンズの光学性能評価方法。
【請求項３】
前記基準位置から前記物点までの距離は前記設計対象レンズ形状モデルの高さに応じて異なり、上方ほど長距離に設定されることを特徴とする請求項１又は２に記載のレンズの光学性能評価方法。
【請求項４】
算出された前記設計対象レンズの光学性能値と前記設計対象レンズの光学性能値を算出した座標に適用された前記ペアレンズの光学性能値に基づいて２種類の光学性能の分布図を作成し、それらを比較することで前記設計対象レンズの光学性能を評価することを特徴とする請求項１〜３のいずれかに記載のレンズの光学性能評価方法。
【請求項５】
前記２種類の分布図は分布状態が交錯するように重ねた状態で比較することで前記設計対象レンズの光学性能評を評価することを特徴とする請求項４に記載のレンズの光学性能評価方法。
【請求項６】
前記２種類の分布図はいずれか一方の表示態様を変えて表示させることを特徴とする請求項５に記載のレンズの光学性能評価方法。
【請求項７】
前記第４の工程では、算出された前記設計対象レンズの光学性能値と前記設計対象レンズの光学性能値を算出した座標に適用された前記ペアレンズの光学性能値とから光学性能値の差分を算出し、前記設計対象レンズの光学性能値を算出した座標における両眼収差として評価することを特徴とする請求項１〜３のいずれかに記載のレンズの光学性能評価方法。
【請求項８】
前記差分に基づいて分布図を作成することを特徴とする請求項７に記載のレンズの光学性能評価方法。
【請求項９】
左右一対のレンズ及び同各レンズの背後にそれぞれ配置された眼球モデルに対して光線を透過させるコンピュータシミュレーションを利用したレンズの設計方法であって、
左右一対の前記レンズの左右いずれかを設計対象レンズとし、いずれか他方を装用時にペアとなるレンズ（以下、ペアレンズ）として、前記各レンズの背後に前記眼球モデルを配置したシミュレーションモデルを設定する第１の工程と、
前記第１の工程におけるシミュレーションモデルについて、前記レンズの外方に設定された位置の明確な物点と右の前記眼球モデルとの間に光線を照射させるシミュレーションを実行させて前記設計対象レンズ上及び前記ペアレンズ上の座標の光学性能値を算出する第２の工程と、
前記第２の工程で算出された前記ペアレンズの光学性能値を前記設計対象レンズの光学性能値を算出した座標に適用する第３の工程と、
前記第２の工程で算出された前記設計対象レンズの光学性能値と前記第３の工程で前記設計対象レンズの光学性能値を算出した座標に適用された前記ペアレンズの光学性能値とを比較することで前記設計対象レンズの光学性能値を評価する第４の工程を有し、
前記第１〜第４の工程を経た結果として得られた前記設計対象レンズの評価結果に基づいて前記対象レンズ形状モデルを修正することを特徴とするレンズの設計方法。
【請求項１０】
前記物点は左右の前記眼球形状モデルの眼回旋中心から等距離となる位置（以下、基準位置）を基準として設定されることを特徴とする請求項９に記載のレンズの設計方法。
【請求項１１】
前記基準位置から前記物点までの距離は前記設計対象レンズ形状モデルの高さに応じて異なり、上方ほど長距離に設定されることを特徴とする請求項９又は１０に記載のレンズの設計方法。
【請求項１２】
算出された前記設計対象レンズの光学性能値と前記設計対象レンズの光学性能値を算出した座標に適用された前記ペアレンズの光学性能値に基づいて２種類の光学性能の分布図を作成し、それらを比較することで前記設計対象レンズの光学性能評を評価することを特徴とする請求項９〜１１のいずれかに記載のレンズの設計方法。
【請求項１３】
前記２種類の分布図は分布状態が交錯するように重ねた状態で比較することで前記設計対象レンズの光学性能評を評価することを特徴とする請求項１２に記載のレンズの設計方法。
【請求項１４】
前記２種類の分布図はいずれか一方の表示態様を変えて表示させることを特徴とする請求項１３に記載のレンズの設計方法。
【請求項１５】
前記第４の工程では、算出された前記設計対象レンズの光学性能値と前記設計対象レンズの光学性能値を算出した座標に適用された前記ペアレンズの光学性能値とから光学性能値の差分を算出し、前記設計対象レンズの光学性能値を算出した座標における両眼収差として評価することを特徴とする請求項９〜１１のいずれかに記載のレンズの設計方法。
【請求項１６】
前記差分に基づいて分布図を作成することを特徴とする請求項１５に記載のレンズの設計方法。
【請求項１７】
左右一対のレンズ及び同レンズの背後に配置された眼球モデルに対して光線を透過させるシミュレーションをモニター画面上に表示させるコンピュータシミュレーションによるレンズの光学性能評表示方法であって、
左右一対の前記レンズの左右いずれかを設計対象レンズとし、いずれか他方を装用時にペアとなるレンズ（以下、ペアレンズ）として、前記各レンズの背後に前記眼球モデルを配置したシミュレーションモデルを設定する第１の工程と、
前記第１の工程におけるシミュレーションモデルについて、前記レンズの外方に設定された位置の明確な物点と左右の前記眼球モデルとの間に光線を照射させるシミュレーションを実行させて前記設計対象レンズ上及び前記ペアレンズ上の座標の光学性能値を算出する第２の工程と、
前記第２の工程で算出された前記ペアレンズの光学性能値を前記設計対象レンズの光学性能値を算出した座標に適用する第３の工程と、
前記第２及び第３の工程で算出された前記設計対象レンズの光学性能値と前記設計対象レンズに適用された前記ペアレンズの光学性能値に基づいて２種類の光学性能の分布図を作成する第４の工程を有し、
前記２種類の分布図を分布状態が交錯するように重ねた状態で表示するようにしたことを特徴とするレンズの光学性能表示方法。
【請求項１８】
前記２種類の分布図はいずれか一方の表示態様を変えて表示するようにすることを特徴とする請求項１７に記載のレンズの光学性能表示方法。
【発明の詳細な説明】
【技術分野】
【０００１】
本発明は眼鏡レンズに使用されるレンズの光学性能評価方法、設計方法及びレンズの光学性能評表示方法に関するものである。
【背景技術】
【０００２】
レンズの設計、例えば、累進屈折力レンズの設計では従来から基本的に右目ならば右目の眼球モデル（以下、眼球形状モデル）の前方にレンズの３次元形状モデル（以下、レンズ形状モデル）をおき、前方から光線を透過させて眼球形状モデルに入射する光線の光学性能を算出することでこの右目のレンズ形状モデルの光学性能を評価して設計を行うようにしている。
【０００３】
しかし、人は実際には両方の眼を使って見ており、両方の眼に入力された情報を１つの情報に統合して１つの映像として見ている。そのため、例えば、何らかの事情により、複視が発生したり、視野闘争が発生した場合には、大きな不快を感じる。ここで複視や視野闘争が発生せずに、両眼で見た情報が１つに統合される場合であっても、両眼でどのように見えるかということが重要である。例えば、図１０で、累進レンズを通して設定した物点を見た場合、右眼のレンズではレンズ中心付近を視線が通るため良く見えることになるが、その時のペアとなる左眼のレンズではレンズ周辺部を視線が通るためぼけて見えることになる。その結果、左右で見え方の差が発生し、見にくいという状況が発生する。
これらのことから、レンズを設計する際には左右一対のレンズのうちの設計しようとするレンズ（以下、設計対象レンズ）のみの特性を単独で評価して設計するのではなく、装用時にペアとなるレンズの特性を併せて評価することが望ましいことが理解できる。
【０００４】
レンズにおいて両眼の見え方を考慮した（つまり、両眼で目視した状態）先行技術として特許文献１〜３を挙げる。特許文献１では左右に視線移動する際の「目と頭の回転する角度」を概ね等しいと考えた場合に、耳側の視線移動量が鼻側よりも大きくなることから、中〜近用部を左右非対称形状とし、主子午線から１５ｍｍ以内の収差の立ち上がりを鼻側よりも耳側を緩慢にするというものである。また、特許文献２は累進レンズで近用視をする際には、鼻側が重要であることから、主注視線から鼻側に向かっての非点収差の増加を耳側に向かっての非点収差の増加に比較して緩慢にし、かつ、鼻側の歪曲収差を小さくするというものである。特許文献３は設計時に両眼を考慮することが開示されており、原点１を両眼球の回転中心１Ｌ，１Ｒの中点に設定し、対象が原点１からの視方向により規定される座標系を用いた光学システムで設計し、任意の視方向の対象評価点に至る眼鏡レンズを通る注視線で輻輳角を計算し、この輻輳角と輻輳角基準値θＣＨ０との差から輻輳収差を算出するというものである。
【先行技術文献】
【特許文献】
【０００５】
【特許文献１】特開昭５７−２１０３２０号公報
【特許文献２】特開平１１−１２５７９９号公報
【特許文献３】ＷＯ２０１０／０８７４５０号公報
【発明の概要】
【発明が解決しようとする課題】
【０００６】
しかしながら、特許文献１及び２は両眼での見え方を考慮して累進レンズ設計を行っている点において画期的であったが、特許文献１のように鼻側より耳側を緩慢にする場合であっても、特許文献２のように耳側より鼻側を緩慢にする場合であっても、どれぐらい緩慢にするのがベストであるのかという点が不明瞭であった。また、どちらの出願も両眼で見える映像が実際にどのように見えるのかをシミュレートできていないことから、実際に両眼でどのように見えるかについて評価できないという問題があった。
また、特許文献３では輻輳収差を定義することにより、両眼システムでの収差を提案した点に意義があるものの、両眼でどのように見えているかをシミュレートするためには、輻輳収差のように輻輳していない状態と輻輳している状態の差よりも、むしろ左右眼での見え方がどのように違うのかの方が影響度として大きいはずである。そのため、レンズの評価や設計において両眼で見た映像が左右眼でどのように違うのかをシミュレートできる手法が望まれていた。
本発明は、このような従来の技術に存在する問題点に着目してなされたものである。その目的は、まず両眼でどのように見えているかをシミュレートするための光学性能評価方法を提供することであり、また、評価をフィードバックさせて設計することができるレンズの設計方法を提供することであり、更に両眼でどのように見えているかをシミュレートした結果を特に評価しやすくするためのレンズの光学性能評表示方法を提供することである。
【課題を解決するための手段】
【０００７】
上記課題を解決するために第１の手段では、左右一対のレンズ及び同各レンズの背後にそれぞれ配置された眼球モデルに対して光線を透過させて前記レンズの光学性能を評価するコンピュータシミュレーションによるレンズの光学性能評価方法であって、左右一対の前記レンズの左右いずれかを設計対象レンズとし、いずれか他方を装用時にペアとなるレンズ（以下、ペアレンズ）として、前記各レンズの背後に前記眼球モデルを配置したシミュレーションモデルを設定する第１の工程と、前記第１の工程におけるシミュレーションモデルについて、前記レンズの外方に設定された位置の明確な物点と左右の前記眼球モデルとの間に光線を照射させるシミュレーションを実行させて前記設計対象レンズ上及び前記ペアレンズ上の座標の光学性能値を算出する第２の工程と、前記第２の工程で算出された前記ペアレンズの光学性能値を前記設計対象レンズの光学性能値を算出した座標に適用する第３の工程と、前記第２の工程で算出された前記設計対象レンズの光学性能値と前記第３の工程で前記設計対象レンズの光学性能値を算出した座標に適用された前記ペアレンズの光学性能値とを比較することで前記設計対象レンズの光学性能値を評価する第４の工程を有することをその要旨とする。
【０００８】
このような構成では、第１の工程で、左右一対のレンズの左右いずれかを設計対象レンズとし、いずれか他方をペアレンズとした同各レンズの背後に眼球モデルを左右の眼球モデルの間隔、眼球モデルからレンズ裏面の距離、レンズの傾きなどを３次元座標で規定してそれぞれ配置したシミュレーションモデルを設定する。ここで第１の工程で設計対象レンズとペアレンズを設定することで、片眼での見え方をシミュレートしてきた既存の光学評価技術を広く応用していくことが可能となる。
次に第２の工程で、レンズを通して見る物点をレンズの外方に位置を明確にして設定し、その物点から左右の眼球モデルそれぞれに対して光線を照射し、光線がレンズを通って屈折して眼球モデルに入射する時の前記設計対象レンズ上及び前記ペアレンズ上の座標の光学性能値をそれぞれ算出する。ここで、物点の位置を明確にして設定するのは、物点までの距離により、眼球モデルに入射する光線の光学評価値が異なる為である。そのため、物点は眼球からどちらの方向にあるかだけでなく、どちらの方向にどれぐらい離れているかをシミュレーションモデル上で設定することが大切である。
そして第３の工程で、第２の工程で算出された前記ペアレンズの光学性能値を前記設計対象レンズの光学性能値を算出した座標に適用する。ここで、前記ペアレンズの光学性能値を設計対象レンズの光学性能値を算出した座標に適用するとは、前記設計対象レンズの光学性能値を算出した座標と前記ペアレンズの光学性能値を関連付けることである。図２に示したように、物点Ｚの位置をある一点に定めた場合、その物点Ｚから左右眼球モデルに入射させる光線がレンズ上を通過する光線の座標は設計対象レンズ上の座標Ａ、ペアレンズ上の座標Ｂと定まる。ここで設計対象レンズ上の座標Ａにペアレンズの座標Ｂを通過した光線の光学性能値を関連付けることで、設計対象レンズおよびペアレンズの見え方（光学性能値）を１つの座標系で扱うことが出来るようになる。
最後に第４の工程により、設計対象レンズおよびペアレンズの光学性能値を比較することで両眼で見たときにどのように見えるかをシミュレートすることが可能となる。
【０００９】
ここに、「物点」とはレンズを通して見る物体のことで、光線追跡においては点光源の射出点である。物点は１つ以上複数存在し、多ければ多いほどより精密な評価が可能となる。
「光学性能値」とは、既存レンズ評価において用いているレンズの性能値のことを言い、例えば、Ｓ度数、Ｃ度数、等価球面度数（Ｓ＋Ｃ/２）、乱視度数とその軸度、プリズム量とそのベース値、累進屈折力レンズにおける加入度、非点収差、歪曲収差、度数誤差（パワーエラー）などを単独あるいは複数組み合わせて用いることができる。
「眼球モデル」としては、例えば、グストランドの模型眼に代表される実測された眼のデータを用いても良いし、簡易的に眼回旋中心をレンズ裏面から２４〜２９ｍｍ程度離れた位置に設定しても良い。レンズ裏面から眼回旋中心までの距離は、軸性の近視のような場合には距離が長くなるし、鼻の高さによりレンズの位置が変化する場合などにも距離が変動するため、シミュレートする条件に合わせて設定することが好ましい。
【００１０】
また、物点は左右の眼球モデルの眼回旋中心から等距離となる位置（以下、基準位置）を基準として設定されることがよい。この位置に設定することが実際に左右の眼である物体を目視した際の物体までの距離に対応するからである。更に眼回旋中心から等距離となる位置の中でも、鼻根点となる座標、左右眼の中心座標、首の回転中心座標などに設定することが望ましい。発明者の検討によれば、物点原点が鼻根点であれば、両眼で見る場合のヒトの距離感と良く一致し、物点原点が左右眼の中心座標であれば、物点原点と設計眼の原点、対眼の原点を同一平面上にできるため計算が容易になる。また、物点原点を首の回転中心座標とすれば、首を振って見える映像、すなわち動的な揺れの程度をシミュレートするのに都合がよい。
また、基準位置から物点までの距離は設計対象レンズ形状モデルの高さに応じて異なり、上方ほど長距離に設定されることがよい。これは実際に物体を目視する際にはレンズの上方側は遠方を見て下方側は近傍を見るために使用するため、実際の目視状況に応じた物点距離を設定しようとするものである。特に、累進屈折力レンズではそもそもそのような目視を念頭に設計されるものであるため、このような物点距離の設定はより好ましい。
【００１１】
また、算出された設計対象レンズの光学性能値と設計対象レンズの光学性能値を算出した座標に適用されたペアレンズの光学性能値に基づいて２種類の光学性能の分布図を作成し、それらを比較することで設計対象レンズの光学性能を評価することがよい。散布状に取得された光学性能値を比較するだけでもレンズの評価は可能であるが、設計対象レンズとペアレンズ毎に光学性能の分布図を作成し、それらを比較することでより精密な評価が可能となるからである。この場合に２種類の分布図は分布状態が交錯するように重ねた状態で比較することで設計対象レンズの光学性能評を評価することがよい。このように重ねることができるのはペアレンズの光学性能値を設計対象レンズの座標に適用（投影）しているためである。このように座標が一致した状態で検討できれば、両眼で見たときの見え方と設計対象レンズの座標、すなわち設計対象レンズ上を通過する視線の位置との関係を詳細に分析することが可能になる。
また、２種類の分布図はいずれか一方の表示態様を変えて表示させることがよい。これは重ねる場合には特に有効である。表示態様を変えるとは、例えば、両者の表示する線図の色を変更したり、線種（実線とか破線とかでの区別）を変更したりすることが可能である。また、分布図で等高線を表示せずに色の濃さなどにより表現することも可能である。尚、分布図は二次元平面として表示させても、三次元的な表示（表示画面は二次元であるが、高さがあるように表現する）としてもよい。
また、他の評価の方法として算出された設計対象レンズの光学性能値と設計対象レンズの光学性能値を算出した座標に適用されたペアレンズの光学性能値とから光学性能値の差分を算出し、設計対象レンズの光学性能値を算出した座標における両眼収差として評価することも可能である。その場合には上記と同様に差分の分布図を作成し、それに基づいて評価することがよい。
【００１２】
また、第２の手段では、左右一対のレンズ及び同各レンズの背後にそれぞれ配置された眼球モデルに対して光線を透過させるコンピュータシミュレーションを利用したレンズの設計方法であって、左右一対の前記レンズの左右いずれかを設計対象レンズとし、いずれか他方を装用時にペアとなるレンズ（以下、ペアレンズ）として、前記各レンズの背後に前記眼球モデルを配置したシミュレーションモデルを設定する第１の工程と、前記第１の工程におけるシミュレーションモデルについて、前記レンズの外方に設定された位置の明確な物点と左右の前記眼球モデルとの間に光線を照射させるシミュレーションを実行させて前記設計対象レンズ上及び前記ペアレンズ上の座標の光学性能値を算出する第２の工程と、前記第２の工程で算出された前記ペアレンズの光学性能値を前記設計対象レンズの光学性能値を算出した座標に適用する第３の工程と、前記第２の工程で算出された前記設計対象レンズの光学性能値と前記第３の工程で前記設計対象レンズの光学性能値を算出した座標に適用された前記ペアレンズの光学性能値とを比較することで前記設計対象レンズの光学性能値を評価する第４の工程を有し、前記第１〜第４の工程を経た結果として得られた前記設計対象レンズの評価結果に基づいて前記対象レンズ形状モデルを修正することをその要旨とする。
【００１３】
このような構成では、コンピュータシミュレーションで設計対象レンズとペアレンズ及びそれらの眼球モデルを配置したシミュレーションモデルを構築した際に、物点と左右の眼球モデルの間に光線を照射させるシミュレーションを実行して設計対象レンズとペアレンズ上の座標の光学性能値を算出し、ペアレンズの光学性能値を設計対象レンズの光学性能値を算出した座標に適用することで、設計対象レンズの光学性能値と設計対象レンズに適用されたペアレンズの光学性能値とを比較することができ、これによって設計対象レンズの評価においてペアレンズの光学性能値を考慮して両眼の見え方を収差として評価することが可能となる。そして、この評価結果に基づいて設計対象レンズをより収差が小さくなるように設計変更を加えることができる。
この場合にも、物点は左右の眼球形状モデルの眼回旋中心から等距離となる位置（以下、基準位置）を基準として設定されることがよく、基準位置から物点までの距離は設計対象レンズ形状モデルの高さに応じて異なり、上方ほど長距離に設定されることがよい。
【００１４】
また、上記と同様物点は左右の眼球形状モデルの眼回旋中心から等距離となる位置（以下、基準位置）を基準として設定されることがよく、基準位置から物点までの距離は設計対象レンズ形状モデルの高さに応じて異なり、上方ほど長距離に設定されることがよい。また、上記と同様算出された設計対象レンズの光学性能値と設計対象レンズの光学性能値を算出した座標に適用されたペアレンズの光学性能値に基づいて２種類の光学性能の分布図を作成し、それらを比較することで設計対象レンズの光学性能評を評価することがよい。また、２種類の分布図はいずれか一方の表示態様を変えて表示させることがよい。また、他の評価の方法として算出された設計対象レンズの光学性能値と設計対象レンズの光学性能値を算出した座標に適用されたペアレンズの光学性能値とから光学性能値の差分を算出し、設計対象レンズの光学性能値を算出した座標における両眼収差として評価することも可能である。その場合には上記と同様に差分の分布図を作成し、それに基づいて評価することがよい。
【００１５】
また、第３の手段では、左右一対のレンズ及び同レンズの背後に配置された眼球モデルに対して光線を透過させるシミュレーションをモニター画面上に表示させるコンピュータシミュレーションによるレンズの光学性能評表示方法であって、左右一対の前記レンズの左右いずれかを設計対象レンズとし、いずれか他方を装用時にペアとなるレンズ（以下、ペアレンズ）として、前記各レンズの背後に前記眼球モデルを配置したシミュレーションモデルを設定する第１の工程と、前記第１の工程におけるシミュレーションモデルについて、前記レンズの外方に設定された位置の明確な物点と左右の前記眼球モデルの間に光線を照射させるシミュレーションを実行させて前記設計対象レンズ上及び前記ペアレンズ上の座標の光学性能値を算出する第２の工程と、前記第２の工程で算出された前記ペアレンズの光学性能値を前記設計対象レンズの光学性能値を算出した座標に適用する第３の工程と、前記第２及び第３の工程で算出された前記設計対象レンズの光学性能値と前記設計対象レンズの光学性能値を算出した座標に適用された前記ペアレンズの光学性能値に基づいて２種類の光学性能の分布図を作成する第４の工程を有し、前記２種類の分布図を分布状態が交錯するように重ねた状態で表示するようにしたことをその要旨とする。
【００１６】
このような構成では、コンピュータシミュレーションで設計対象レンズとペアレンズ及びそれらの眼球モデルを配置したシミュレーションモデルを構築した際に、物点と左右の眼球モデルの間に光線を照射させるシミュレーションを実行して設計対象レンズとペアレンズ上の座標の光学性能値を算出し、ペアレンズの光学性能値を設計対象レンズの光学性能値を算出した座標に適用することで、設計対象レンズの座標における２種類の光学性能値のデータが得られることとなる。このデータについて２種類の光学性能の分布図を作成し、更に２種類の分布図を分布状態が交錯するように重ねた状態で表示することで、ペアレンズの光学性能を考慮した設計対象レンズの評価がしやすくなる。この場合に、上記のように２種類の分布図はいずれか一方の表示態様を変えて表示すことがよい。
【発明の効果】
【００１７】
本願の第１の発明では、まず両眼でどのように見えているかをシミュレートするレンズの光学性能評価が可能となる。また、第２の発明では、設計対象レンズとペアになるレンズの光学性能を考慮した評価結果に基づいて、両眼で見たときの収差の少ないレンズを設計することが可能となる。また、第３の発明では、２種類の分布図を分布状態が交錯するように重ねた状態で表示することで、両眼でどのように見えているかをシミュレートした結果を特に評価しやすくするためのレンズの光学性能評表示方法を提供することが可能となる。
【図面の簡単な説明】
【００１８】
【図１】本発明の分析方法の実施の形態において使用する装置の概略を説明するブロック図。
【図２】実施の形態のシミュレーションモデルを説明する説明図。
【図３】物点Ｚ、物点原点を説明する説明図。
【図４】縦軸をレンズ表面Ｙ座標、横軸を物点距離の逆数とした物点距離の設定の一例を示す特性グラフ。
【図５】（ａ）は実施例１の設計対象レンズの平均度数分布図、（ｂ）は同じ設計対象レンズの非点収差分布図。
【図６】（ａ）は実施例１の設計対象レンズの座標に適用したペアレンズの平均度数分布図、（ｂ）は同じ設計対象レンズの座標に適用したペアレンズの非点収差分布図。
【図７】（ａ）は図５（ａ）と図６（ａ）を重ねて表示した度数分布図、（ｂ）は図５（ｂ）と図６（ｂ）を重ねて表示した非点収差分布図。
【図８】（ａ）は図５（ａ）と図６（ａ）のデータの差分を表示した両眼度数誤差分布図、（ｂ）は図５（ｂ）と図６（ｂ）のデータの差分を表示した両眼非点収差分布図。
【図９】実施例２において（ａ）は設計対象レンズとペアレンズのデータの差分を表示した両眼非点収差分布図、（ｂ）は（ａ）の評価に基づいて改めて設計した（修正した）設計対象レンズとペアレンズのデータの差分を表示した両眼非点収差分布図。
【図１０】従来の設計対象レンズにおける問題点を説明する説明図。
【発明を実施するための形態】
【００１９】
以下、具体的な実施の形態の説明をする。
図１は本発明の評価方法を実現するための装置の一例の概略ブロック図である。シミュレーション用のコンピュータ１には表示手段及び出力手段としてのモニター２と入力手段としてのキーボード３が接続されている。
コンピュータ１はＣＰＵ（中央処理装置）及びその周辺装置によって構成される。ＣＰＵは各種プログラムに基づいて処理を実行する。本発明に特化した処理として、ＣＰＵはシミュレーションプログラムに基づいてモニター２上に左右一対の累進屈折力レンズ及び眼球モデルに基づく３次元座標で構成されたシミュレーションモデルを展開させ、物点から設計対象レンズを通り眼球モデルに入射するように光線透過のシミュレーションを実行させて累進屈折力レンズの設計対象レンズ上の透過位置座標を算出し、その透過位置座標における光学性能値（Ｓ度数、Ｃ度数、透過球面度数、乱視軸方向、プリズム値、プリズム軸方向、非点収差、歪曲収差、度数誤差（パワーエラー）等）を算出する。そして、ペアレンズについても同様に光学性能値を算出し、ペアレンズ形状モデルの座標として得られた光学性能値を設計対象レンズの透過位置座標に投影する（投影位置データにペアレンズのレンズ処方値を適用する）。また、得られたレンズ処方値に基づいて補間計算を行ってモニター３にレンズの光学特性を示す分布図として表示させる。
更に、ＣＰＵは累進屈折力レンズの形状データを修正した場合に設計対象レンズ及びペアレンズについて新たに修正したシミュレーションモデルをモニター２上に展開させ、再度レンズの光学性能値を算出させる。
より具体的には、以下のような内容が実行される。
【００２０】
１）シミュレーションモデルの設定
図２は、累進屈折力レンズを装用している様子を両眼の眼回旋中心と物点Ｚを通る平面で輪切りにした状態を上から見たモデル図である。ここでは右眼のレンズを設計対象レンズとして左眼のレンズを装用時に設計対象レンズとペアとなるペアレンズとする。このモデルでは実際に眼鏡を装用した際の状態と同じになるように左右の眼の中心を装用者の瞳孔間距離（ｍｍ）だけ離して配置し、レンズ裏面から角膜表面頂点までの頂点距離（ｍｍ）及びレンズ裏面から眼回旋中心までの距離（ｍｍ）を設定し、レンズ裏面の中心座標を基準として、レンズの３次元形状を設定する。
【００２１】
２）物点の設定
レンズを通して見る物点を設定する。図３のように物点Ｚの原点を設計対象眼とペア眼の眼回旋中心から等距離の正中線（面）上に設定し、物点原点から物点Ｚまでの距離を物点距離とする。物点原点は、正中線（面）上であればどこでも構わないが、鼻根点となる座標、左右眼の中心座標、首の回転中心座標などに設定することが望ましい。発明者の検討によれば、物点原点が鼻根点であれば、両眼で見る場合のヒトの距離感と良く一致し、物点原点が左右眼の中心座標であれば、物点原点と設計対象眼の原点、ペア眼の原点を同一平面上にできるため計算が容易になる。また、物点原点を首の回転中心座標とすれば、首を振って見える映像、すなわち動的な揺れの程度をシミュレートするのに都合がよい。
物点距離は同じレンズ高さにおいて物点原点から等距離となる円弧の上、または正面から側方に掛けて徐々に距離が離れていく曲線の上にセッティングされる。円弧とした場合には、計算は簡易であるが近用部側方の距離感が実際の使用と異なるようになる。一方で、正面から側方に掛けて徐々に距離が離れていく曲線とした場合には、近用部側方の距離感が実際の使用に近づくことが期待できる。また、物点距離はレンズ高さに応じて設定することがよく、例えばレンズ上方では物点距離が遠方距離（無限遠方）、レンズ下方では物点距離を近方距離（例えば、３３ｃｍ）とし、レンズ上方から下方にかけては、連続的に距離が変化するようにことがよく、本実施の形態ではシミュレートする累進レンズの主注視線上の加入度曲線に合わせて遠方から近方に物点が近づけるように設定されている。
物点Ｚはレンズ全体をできるだけ均等にカバーできるように設定されることが好ましく、物点Ｚの数はどの程度の精度を求めるかによって適宜変更することができる。本実施の形態では設計対象レンズ表面の座標で垂直方向、水平方向に１ｍｍ間隔の格子点を設定し、その格子点を通って設計対象眼に入射する光線を求め、その光線の出発点に対応する物点Ｚ０〜ｎを設定するものとする。
【００２２】
３）設計対象レンズの光学性能値の取得
各物点Ｚ０〜ｎから設計対象レンズを通って設計対象眼の眼回旋中心に入射する光線を光線追跡により求め光線が通過する設計対象レンズの表面座標をＡ０〜ｎ座標とし、各座標における光学性能値をａ０〜ｎとする。つまり、光学性能値はレンズを透過する光線の数（ｎ）だけ存在する。
４）ペアレンズの光学性能値の取得
各物点Ｚ０〜ｎからペアレンズを通ってペア眼の眼回旋中心に入射する光線を光線追跡により求め、各光線がペア眼に入射する際の光学性能を算出する。上記に倣ってペアレンズの表面座標をＢ０〜ｎ座標とし、光学性能値をｂ０〜ｎとする。
５）ペアレンズの光学性能値の設計対象レンズへの適用
ここで、ペアレンズについて得られた光学性能値ｂ０〜ｎを設計対象レンズの表面座標に投影すると考える。つまり、ある物点Ｚｍから光線を入射させて設計対象レンズを透過させた際の設計対象レンズのある表面座標にＡｍに、ある物点Ｚｍから光線を入射させてペアレンズを透過させた際の光学性能値ｂｍを投影（適用）するわけである。光学性能値ｂ０〜ｎはＡ０〜ｎ座標について１対１で対応する。
６）両レンズの光学性能値のデータの補間計算
Ａ０〜ｎ座標について元々の設計対象レンズの光学性能値のデータと、５）のようにペアレンズ側で取得された光学性能値のデータはレンズ面に散布的（例えば格子状等）に設定される。このシミュレーションで得られた座標（Ｘ，Ｙ）と光学性能値を周知の補間計算を行って、任意の座標（Ｘ，Ｙ）とその位置における光学性能値を算出する。
７）両レンズの収差評価（分布図の作成）
６）で補間計算を行った結果に基づいて作成した光学性能値の分布図をモニター２上に表示させる。更に、設計対象レンズの光学性能値のデータと、ペアレンズ側で取得された光学性能値のデータとの差（収差）に基づいて作成した分布図をモニター２上に表示させる。
【００２３】
（実施例１）
実施例１として具体的な分布図を表示し、それら分布図に基づいた評価について説明する。
＜評価条件＞
実施例１では設計対象レンズとそのペアとなるレンズは累進屈折力レンズとし、レンズ度数を両眼ともＳ＋０．００  ＡＤＤ２．００とし、素材の屈折率１．７０、中心厚２．０ｍｍとする。累進帯長は１３ｍｍ、遠用素数測定位置は幾何中心から８ｍｍ上方、近用度数測定位置は幾何中心から１４ｍｍ下方で打ち寄せ量２．２ｍｍである。このレンズ１を頂点距離（ＰＤ）６４ｍｍ、レンズ裏面から回旋中心までの距離２５ｍｍ、そり角０度で装用した際の両眼での見え方を評価するものとする。
＜物点距離の設定＞
実施例１では計算を簡易的にするため両眼の回旋中心の中心を結ぶ直線の中点を原点とした例である。そして、両眼の回旋中心を同時に通る平面をレンズ上方から下方にかけて移動させ、その時の設計眼の主注視線と両眼の回旋中心を両方とも通る平面が交わる座標をＹ座標とする。そのＹ座標となる平面上にある物点原点からの物点距離を図４のようにＹ座標が遠用測定度数位置より上方の場合には無限遠方（すなわち、物点距離の逆数＝０．０）とし、遠用度数測定位置（Ｙ=８ｍｍ）から近用度数測定位置（Ｙ=−１４mm）にかけて３３．３ｃｍ（すなわち物点距離の逆数＝３．０）となるまで徐々に近づけ、Ｙ座標が近用度数測定位置よりも下方では物点距離３３．３ｃｍで一定であるとする。
【００２４】
＜第１の評価＞
上記の評価条件の設計対象レンズについて光学性能値のうちの等価球面度数と非点収差成分の補間データに基づいて作成した度数分布図と非点収差分布図を図５（ａ）及び（ｂ）として示す。また、同様にペアレンズについての平均度数と非点収差成分の補間データに基づいて作成した度数分布図と非点収差分布図を図６（ａ）及び（ｂ）として示す。
また、図５（ａ）と図６（ａ）の度数分布図を重ねたもの（つまり設計対象レンズ表面座標（Ｘ，Ｙ）に重ねて投影した図）を図７（ａ）として示す。同様に、図５（ｂ）と図６（ｂ）の非点収差分布図を重ねたものを図７（ｂ）として示す。尚、図においてはカラー表記ができないため、彩度のない黒と灰色の線描で区別をしているが、色を変えて（灰色部分を例えば赤色で表示させる）区別することがよりよい。
このように設計対象レンズの光学性能値とペアレンズの光学性能値を同一の座標上に重ねて比較することで、設計対象眼の視線が設計対象レンズのどの座標を通った時に両眼の見え方の差がどのように発生するのかを目視にて確認することができる。例えば、この実施例１の設計対象レンズ（累進屈折力レンズ）では、遠用部側方の左右で両目で見たときに大きな度数成分および非点収差成分の両眼での見え方の差、すなわち両眼収差が発生していることがわかる。また、近用部やや側方を見たときには度数成分の両眼収差が発生していることがわかる。
【００２５】
＜第２の評価＞
次に、＜第１の評価＞で分布図を作成した設計対象レンズとペアレンズの対応する設計対象レンズ表面座標（Ｘ，Ｙ）の光学性能値（平均度数と非点収差成分）の差分（収差）を算出し、この差分（収差）の分布を表示させた両眼度数誤差分布図と両眼非点収差分布図を図８（ａ）及び（ｂ）として示す。このような表示を行うことで設計対象レンズ表面座標（Ｘ，Ｙ）における両眼での見え方の差が図示できることとなる。設計対象レンズとペアレンズの収差が少ないほど等高線の高さは小さくなる。ここでは単に等高線だけではなく、等高線間の領域にグラデーションをつけることでより微妙な収差状況も評価することができる。
両眼度数誤差や両眼非点収差の値は、設計対象レンズのレンズ表面座標（Ｘ，Ｙ）における収差値として数値化できているため、減衰最小二乗法などの最適化手法を用いて両眼収差を改善したレンズ面の設計をすることが可能となる。
尚、両眼収差として求める設計対象レンズの光学性能値とペアレンズの光学性能値の差分は、単純に片眼ごとの収差量の差（数値の差）ではなく、例えばＣ度数であれば、軸方向も含めて計算を行い、両眼での残余乱視の計算を行うことが重要である。例えば、設計対象レンズの収差量がＣ−１．００  ＡＸ９０のときに、ペアレンズの収差量がＣ−１．００  ＡＸ９０であれば、残余乱視はＣ−０．００となるが、ペア眼の収差量がＣ−１．００  ＡＸ９０以外であれば、Ｃ度数が一緒であっても残余乱視が発生する。
【００２６】
（実施例２）
実施例２は実施例１の＜第２の評価＞のバリエーションであり、実際に評価に基づいてレンズ形状を修正してレンズ設計を行う場合を説明するものである。
実施例１と同じ条件において、まず設計対象レンズとペアレンズの対応する設計対象レンズ表面座標（Ｘ，Ｙ）の非点収差成分の差分（収差）を算出し、この差分（収差）の分布を表示させた両眼非点収差分布図を図９（ａ）として示す。この分布図からはレンズ側方部に両眼非点収差が多くあるという評価ができる。
ここでは、この評価に基づいて、設計対象レンズのレンズ表面座標のフィッティングポイントから左右水平ラインの両眼収差を低減するように減衰最小二乗法を行った。その結果、図９（ｂ）のように、フィッティングポイント（幾何中心の２ｍｍ上の「×」）から水平方向の両眼非点収差が無くなり、中間部から近用部左右の両眼非点収差も大きく低減した累進屈折力レンズを得ることができた。このようにレンズ設計においてはレンズの一部の光学性能を設計目標値として適切に選定することで、レンズ全面の光学性能を最適化することが出来る。発展的な方法としては、レンズ全面に均等に目標値を配置するなどすることで更に微妙なレンズ性能を設計することも本実施例と同一のアルゴリズムで可能である。
【００２７】
尚、この発明は、次のように変更して具体化することも可能である。
・上記実施例は累進屈折力レンズについて説明したが、非球面の単焦点レンズについても同様に評価をし、その結果をフィードバックすることが可能である。
・本実施例では、累進屈折力レンズの設計例として設計対象レンズとペアレンズが同度数の例を示したが、異なる度数であっても適用できる。
・設計対象レンズとペアレンズの分布図の表示において線種を変えて表示するようにしてもよい。また線を表示せずに等高線の高さを色で表現するなども自由である。
・上記各実施例では分布図はＸＹ平面として表現するものであったが、等高線があるため、三次元的な表現、例えば俯瞰図的に収差の大きさを高さとして表現するようにしてもよい。
・物点原点の位置も上記実施の形態に限定されるものではない。
・眼球モデル側から物点に向かって光線を照射してシミュレーションをするようにしてもよい 。その他本発明の趣旨を逸脱しない範囲で変更した態様で実施をすることは自由である。
【図１】
2015075342.tif 000003
【図２】
2015075342.tif 000004
【図３】
2015075342.tif 000005
【図４】
2015075342.tif 000006
【図１０】
2015075342.tif 000007
【図５】
2015075342.tif 000008
【図６】
2015075342.tif 000009
【図７】
2015075342.tif 000010
【図８】
2015075342.tif 000011
【図９】
2015075342.tif 000012